(57)【特許請求の範囲】
【請求項１】
ディスク状の情報記録媒体と、
上記情報記録媒体を収納したカートリッジケースと、
上記カートリッジケースの表，裏面に設けた記録及び／又は再生用の開口部を開閉するシャッターと、
上記シャッターを取付けたスライド部材と、
上記スライド部材を上記カートリッジケースにスライド可能に取付けていて、上記シャッターを上記開口部を閉塞する第１の位置と上記開口部を開放する第２の位置との間でスライドさせるガイド機構と、を備え、
上記ガイド機構は、上記第１の位置から上記第２の位置へのスライド時に上記シャッターを上記カートリッジケースのシャッタースライド面に対して離間方向に移動させるシャッター接離操作部を備えている
ことを特徴とする情報記録媒体カートリッジ。
【請求項２】
上記ガイド機構は、
上記カートリッジケースに設けられたカートリッジケース側のガイド部と、上記スライド部材に設けられたスライド部材側のガイド部と、からなり、
上記カートリッジケース側のガイド部は、
上記カートリッジケースのスライド部材組付部の内面の対向部に設けられた一対の凸状のガイド部で構成され、
上記スライド部材側のガイド部は、
上記カートリッジケースのスライド部材組付部に組み付けられるスライド部材の脚部の外面に設けられていて、該脚部を上記カートリッジケースのスライド部材組付部に挿入したときに、上記一対の凸状のガイド部に係合する一対の凹状のガイド部で構成されている
ことを特徴とする請求項１に記載の情報記録媒体カートリッジ。
【請求項３】
上記ガイド機構は、
上記カートリッジケースに設けられたカートリッジケース側のガイド部と、上記スライド部材に設けられたスライド部材側のガイド部と、からなり、
上記カートリッジケース側のガイド部は、
上記カートリッジケースのスライド部材組付部の内面の対向部に設けられた一対の凸状の第１，第２ガイド部と、これら一対の凸状の第１，第２ガイド部に隣接して設けられた一対の凹状の第３，第４ガイド部と、で構成され、
上記スライド部材側のガイド部は、
上記カートリッジケースのスライド部材組付部に組み付けられるスライド部材の脚部の外面に設けられていて、該脚部を上記カートリッジケースのスライド部材組付部に挿入したときに、上記一対の凸状の第１，第２ガイド部に係合する一対の凹状の第５，第６ガイド部と、上記一対の凹状の第３，第４ガイド部に係合する一対の凸状の第７，第８ガイド部と、で構成されている
ことを特徴とする請求項１に記載の情報記録媒体カートリッジ。
【請求項４】
上記スライド部材の脚部は、
上記スライド部材のスライド方向の一端側に設けられた第１の脚部と、上記スライド部材のスライド方向の中央部又は他端側に設けられた第２の脚部とで構成されている
ことを特徴とする請求項３に記載の情報記録媒体カートリッジ。
【請求項５】
上記シャッター接離操作部は、
上記凸状の第１，第２ガイド部の対向する内面と、上記凹状の第３，第４ガイド部の背反する外面に、上記第１の位置において上記シャッターを上記カートリッジケースのシャッタースライド面に接触させた状態に上記スライド部材を支持する第１フラット面と、上記第１の位置から上記第２の位置へのスライド時に上記シャッターを上記カートリッジケースのシャッタースライド面から離間する方向に上記スライド部材をスライドさせる勾配面と、上記第２の位置において上記シャッターを上記カートリッジケースのシャッタースライド面に対して離間させた状態に上記スライド部材を支持する第２フラット面を設けることにより構成されている
ことを特徴とする請求項４に記載の情報記録媒体カートリッジ。
【請求項６】
上記凸状の第１，第２ガイド部の勾配面と、上記凹状の第３，第４ガイド部の勾配面とは、上記スライド部材のスライド方向に対して上記第１の脚部と第２の脚部との間隔と略等しい間隔をもたせた位置に形成されていて、上記スライド部材のスライド時に上記第１の脚部と第２の脚部を同時に同期させて操作し、シャッターをカートリッジケースのシャッタースライド面に対して平行状態に維持して移動させる
ことを特徴とする請求項５に記載の情報記録媒体カートリッジ。
【発明の詳細な説明】
【０００１】
【発明の属する技術分野】
本発明は、磁気ディスクや光ディスク或は光磁気ディスクや相変化型光デイスク等の情報記録媒体を収納した情報記録媒体カートリッジに関するものである。
【０００２】
【従来の技術】
情報記録媒体カートリッジとして、例えば図２８に示したものが知られている。
【０００３】
上記情報記録媒体カートリッジ（以下、単にカートリッジという）１０１は、表，裏両面に記録層を設けた光ディスクや光磁気ディスク等の情報記録媒体（以下、ディスクという）１０２と、該ディスク１０２を回転可能に収納したカートリッジケース（以下、シェルという）１０３と、該シェル１０３にスライド可能に取付けられていて、該シェル１０３の裏，表面に設けた記録及び／又は再生用の開口部（以下、単に開口部という）１０４を開閉するシャッター１０５とを備えている。
【０００４】
上記シャッター１０５は、上記シェル１０３の表面側の開口部１０４を開閉する第１のシャッター板１０６と、上記シェル１０３の裏面側の開口部１０４を開閉する第２のシャッター板１０７とを備えている。上記シャッター１０５は、金属板を折り曲げることにより略コ字状に形成されていて、上記シェル１０３の表，裏面の開口部１０４を同時に開閉する。
【０００５】
上記カートリッジ１０１は、記録及び／又は再生装置（以下、ドライブ装置という）に装着されると、該ドライブ装置に設けられたシャッター操作部材でシャッター１０５が駆動操作され、上記シェル１０３の表，裏両面の開口部１０４が同時に開放されるようになっている。
【０００６】
そして、図２９に示したように、上記カートリッジ１０１は、上記ディスク１０２がシェル１０３の裏面側の開口部１０４を介して、ドライブ装置のターンテーブル３０１にチャッキングされて回転駆動されると共に、上記裏面側の開口部１０４を介して光学ピックアップ３０２により、上記ディスク１０２への記録及び／又は再生が行われるようになっている。
【０００７】
ところで、上記従来の第１，第２のシャッター板１０６，１０７を一体に形成したシャッター１０５を使用したディスク１０１は、記録及び／又は再生のために上記シェル１０３の裏面側の開口部１０４を開くと、記録及び／又は再生に直接関係しない場合でも上記シェル１０３の裏面側の開口部１０４も開かれて、該表面側の開口部１０４からシェル１０３内に侵入した塵埃３０３等がディスク１０２の上面に付着、堆積するという不具合があった。上記塵埃等の付着は高密度記録の大容量のディスクにとって看過できない悪影響を及ぼす。
【０００８】
上記不具合を解消するものとして、図３０，図３１に示した分割シャッターを使用したカートリッジ２０１が開発された。上記カートリッジ２０１において、シャッター２０５は、シェル２０３の表面側の開口部２０４を開閉する第１のシャッター板２０６と、上記シェル２０３の裏面側の開口部２０４を開閉する第２のシャッター板２０７とからなっていて、これら第１，第２のシャッター板２０６，２０７は、単独でスライドして、上記開口部２０４を独自に開閉するようになっている。
【０００９】
上記第１，第２のシャッター板２０６，２０７は、上記開口部２０４を閉塞する閉塞部２０８と、該閉塞部２０８の一側部に連設されていて、上記開口部２０４を開放する開放部（切欠窓部）２０９を備えている。
【００１０】
図３０に示したように、上記第１，第２のシャッター板２０６，２０７は、第１の位置にあるときに、これら第１，第２のシャッター板２０６，２０７の閉塞部２０８が互にオーバーラップした状態になっていて、これら閉塞部２０８で、上記シェル２０３の表，裏面に設けた開口部２０４を閉塞し、図３１に示したように、第２の位置にスライドすると、上記開放部（切欠窓部）２０９が上記開口部２０４に重なり合って、これら開口部２０４を開放するようになっている。
【００１１】
上記分割シャッターを使用したカートリッジ２０１がドライブ装置に装着されると、該ドライブ装置に設けられたシャッター開放部材で、上記第２のシャッター板２０７のみが駆動操作されて、上記シェル２０３の裏面側の開口部２０４のみが開放され、図３２に示したように、上記シェル２０３の裏面側の開口部２０４を介して、ディスク２０２はドライブ装置のターンテーブル３０１にチャッキングされて回転駆動されると共に、光学ピックアップ３０２により、上記ディスク２０２への記録及び／又は再生が行われるようになっている。一方、上記第１のシャッター板２０６は、上記シェル２０３の表面側の開口部２０４を閉塞していて、該開口部２０４からの塵埃３０３等のシェル２０３内への侵入を防止している。
【００１２】
【発明が解決しようとする課題】
ところで、上記従来の分割シャッターを用いたカートリッジ２０１においても、上記開口部２０４から塵埃３０３等がシェル２０３内へ侵入するのを確実に防止するのは難しいという問題点があった。
【００１３】
何故ならば、上記開口部２０４からシェル２０３内へ塵埃３０３等が侵入するのを確実に防止するためには、上記第１の位置において上記第１，第２のシャッター板２０６，２０７をシェル２０３のシャッタースライド面２０３ａに密着させる必要があるが、上記第１，第２のシャッター板２０６，２０７をシェル２０３のシャッタースライド面２０３ａに密着させたままの状態で、上記開口部２０４を解放する方向にスライドさせようとすると、上記第１，第２のシャッター板２０６，２０７とシェル２０３のシャッタースライド面２０３ａとの間に発生する摩擦で、上記第１，第２のシャッター板２０６，２０７の円滑なスライドが阻害されたり、或は上記第１，第２のシャッター板２０６，２０７でシェル２０３のシャッタースライド面２０３ａが削られて、摩耗粉が発生し、該摩耗粉がディスク１０２に付着して音飛び等の所謂ドロップアウトの原因になる。
【００１４】
本発明は、上記第１，第２のシャッター板が上記シェルの開口部を閉塞する方向にスライドして来たときに、上記第１，第２のシャッター板を、上記シェルのシャッタースライド面に密着させて、上記シェルの開口部を完全に閉じることができるようにすると共に、上記第１，第２のシャッター板を上記シェルの開口部を解放する方向にスライドさせると、上記第１，第２のシャッター板が上記シェルのシャッタースライド面から浮き上がるようにして、上記第１，第２のシャッター板を円滑にスライドさせることができるようにした。
【００１５】
【課題を解決するための手段】
本発明は、ディスク状の情報記録媒体と、上記情報記録媒体を収納したカートリッジケースと、上記カートリッジケースの表，裏面の一方の面に設けた記録及び／又は再生用の開口部を開閉するシャッターと、上記シャッターを取付けたスライド部材と、上記スライド部材を上記カートリッジケースにスライド可能に取付けていて上記シャッターを上記開口部を閉塞する第１の位置と上記開口部を開放する第２の位置との間でスライドさせるガイド機構と、を備えた情報記録媒体カートリッジにおいて、
上記ガイド機構に、上記第１の位置から上記第２の位置へのスライド時に上記シャッターを上記カートリッジケースのシャッタースライド面に対して離間する方向に移動させるシャッター接離操作部を設けることにより、
上記第１の位置においては、上記シャッターを上記カートリッジケースのシャッタースライド面に密着させて、上記開口部を密閉すると共に、上記シャッターを上記第１の位置から上記第２の位置へのスライドさせる際には、上記シャッターを上記カートリッジケースのシャッタースライド面から浮き上がらせて、円滑にスライドさせることができるようにした。
【００１６】
【発明の実施の形態】
次に、本発明の情報記録媒体カートリッジを（１）全体の概略構成、（２）ディスクの構成、（３）シェルの構成、（４）シャッターの構成、（５）スライド部材の構成、（６）ガイド機構及びシャッター接離操作部の構成、（７）他の実施例、（８）作用、の各項に分けて説明する。
【００１７】
（１）情報記録媒体カートリッジ全体の概略構成
図１は所謂シャッターを閉じた状態の情報記録媒体カートリッジ（以下、カートリッジという）１を表面側から見た斜視図、図２は同裏面側から見た斜視図、図３は裏面側のシャッターを開いた状態の斜視図、図４は同裏面側から見た斜視図である。上記カートリッジ１は、表，裏両面に記録及び／又は再生可能な所謂両面使用のカートリッジとして構成されている。
【００１８】
上記カートリッジ１は、ディスク状の情報記録媒体（以下、ディスクという）２と、該ディスク２を回転可能に収納したカートリッジケース（以下、シェルという）３と、該シェル３の表，裏両面に設けられた記録及び／又は再生用の開口部（以下、開口部という）３１と、該開口部３１を開閉するシャッター４と、該シャッター４を取付けたスライド部材７と、該スライド部材７を上記シェル３にスライド可能に取付けているガイド機構８とを備えている。
【００１９】
上記シャッター４は、上記シェル３の表面側（後に説明する上ハーフ３２側）に設けた開口部３１を開閉する第１のシャッター板４１と、上記シェル３の裏面側（後に説明する下ハーフ３３側）に設けた開口部３１を開閉する第２のシャッター板４２とを備えている。
【００２０】
上記第１，第２のシャッター板４１，４２は、図１，図２示す上記開口部３１を閉塞する第１の位置と、図３，図４に示す開口部３１を開放する位置との間をそれぞれ独立にスライドするようになっている。
【００２１】
上記シャッター４を構成する第１，第２のシャッター板４１，４２は、上記シェル３の表，裏面に設けた開口部３１よりもやや大き目の上記開口部３１を完全に閉塞するのに必要な大きさで、かつ上記開口部３１を閉塞する第１の位置において、これら第１，第２のシャッター板４１，４２は、シェル３の肉厚方向において略一致して相重なり合う幅Ｗ（大きさ）に形成されている。上記第１，第２のシャッター板４１，４２には、同一部材が使用されている。
【００２２】
上記第１のシャッター板４１は、上記開口部３１を閉塞する第１の位置から矢印Ａ方向にスライドして上記開口部３１を開放する第２の位置にスライドするようになっている。また、上記第２のシャッター板４２は、上記矢印Ａ方向とは逆の矢印Ｂ方向にスライドして上記開口部３１を閉塞する第１の位置から上記開口部４を開放する第２の位置にスライドするようになっている。
【００２３】
上記シェル３の表，裏面には、上記開口部３１を中心にして、その一側部に上記第１，第２のシャッター板４１，４２がスライドするシャッタースライド面（シャッタースライドエリア）５が設けられ、他側部にインデックスカード等のラベル貼着面（ラベル貼着エリア）６が設けられている。上記第１，第２のシャッター板４１，４２は、後に詳しく説明するスライド部材７に取り付けられている。上記スライド部材７は、ガイド機構８により上記シェル３にスライド可能に取付けられている。
【００２４】
上記第１，第２のシャッター板４１，４２は、上記ガイド機構８により上記スライド部材７が上記シェル３の開口部３１を閉塞する第１の位置にスライドして来たときに、上記ガイド機構８に設けたシャッター昇降操作部（後に詳しく説明する）によって上記シェル３のシャッタースライド面５に密着して、上記シェル３の開口部３１を完全に閉じる。また、上記第１，第２のシャッター板４１，４２は、第１の位置から第２の位置にスライドする際には上記シャッター昇降操作部によって上記シェル３のシャッタースライド面５から浮き上がって、円滑に上記第２の位置までスライドするようになっている。
【００２５】
（２）ディスクの構成
図５に示したように、上記ディスク２は、円盤状の記録媒体本体部２１と、該記録媒体本体部２１の中央部に設けられたセンターハブ２２を有している。
【００２６】
上記記録媒体本体部２１は、例えば図６に示したように、ポリカーボネート（ＰＣ）の基板２３の内面に記録層２４を設け、外面に保護層２５を設けた第１，第２の成膜済基板の記録媒体２６，２７を重ね合わせて接着層２８で接着することにより形成されている。上記ディスク２は、センターハブ２３がドライブ装置のターンテーブル３０２にチャッキングされ、第１の記録媒体２６の記録層２４にドライブ装置の光学ピックアップ装置３０２によって記録及び／又は再生が可能になると共に、上記ディスク２を裏返すことにより、上記光学ピックアップ装置３０２により、上記第２の記録媒体２７の記録層２４への記録及び／又は再生が可能になる。上記記録媒体本体部２１は、数ＧＢ〜４０ＧＢ（ギガバイト）の高容量に形成されている。
【００２７】
上記センターハブ２２は、上記ディスク２の第１の記録媒体２６の記録層２４に記録及び／又は再生する場合は勿論のこと、上記ディスク２を裏返して装着し、上記第２の記録媒体２７の記録層２４に記録及び／又は再生を行う場合でも上記ディスク２をドライブ装置のターンテーブル３０１に確実にチャッキングできる構成になっている。
【００２８】
（３）シェルの構成
上記シェル３は、幅方向（シャッタースライド方向）の中央部に上記開口部３１を設けた上ハーフ３２と下ハーフ３３の前、後、左、右の周壁３４ａ，３４ｂ，３４ｃ，３４ｄ相互を突き合わせて複数のビス３５で結合することにより形成されている。上記ビス３５の頭部が見えるのが裏面側である。
【００２９】
上記シェル３は、上，下ハーフ３２，３３の前後周壁３４ａの内側がディスク収納部３６になっていると共に、上記上，下ハーフ３２，３３の前周壁３４ａの外側がスライド部材組付部３７になっている。
【００３０】
そして、上記ディスク収納部３６内に収納されたディスク２の記録媒体本体部２１の表，裏面及びセンターハブ２２の表，裏面が上記上，下ハーフ３２，３３の開口部３１に臨むようになっている。
【００３１】
上記上，下ハーフ３２，３３の外面には、シャッタースライド面５とラベル貼着面６が設けられている。上記シャッタースライド面５は、上記上，下ハーフ３２，３３の外面から上記第１，第２のシャッター板４１，４２の略肉厚ぶんだけ低い位置に形成されていて、上記第１，第２のシャッター板４１，４２を重ね合わせたときに、上記上，下ハーフ３２，３３の外面と上記第１，第２のシャッター板４１，４２の外面とが略面一及びもしくは若干低くなるようになっている。また、上記シャッタースライド面５の上，下ハーフ３２，３３の後周壁３４ｂ側の端部は、更に一段低いシャッター端部挿入部５１になっている。そして、図７に示したように、上記シャッター端部挿入部５１に上記第１，第２のシャッター板４１，４２の端部４５が挿入されていて、上記端部４５は、上記シャッター端部挿入部５１内に取付けられたスライドガイド板５２によって上記上，下ハーフ３２，３３の外面から浮き上がる（捲れ上がる）のを防止されて、上記第１，第２のシャッター板３２，３３は円滑にスライドを保証されるようになっている。
【００３２】
また、上記ラベル貼着面６は、上記上，下ハーフ３２，３３の外面から貼着ラベルの略肉厚ぶんだけ低くなった位置に形成されていて、図８に示したように上記シート貼着面６に２点鎖線で示す貼着ラベル６２を貼着したときに、上記上，下ハーフ３２，３３の外面と上記貼着ラベル６２の外面とが略面一及びもしくは若干低くなる。
【００３３】
上記シェル３は、成形性及び機械的強度に優れた合成樹脂、例えばポリカーボネート（ＰＣ）やＡＢＳ樹脂等により形成されている。
【００３４】
図５、図９に示したように、上記上，下ハーフ３２，３３のスライド部材組付部３７の内側面の対向部には、後に説明するガイド機構８を構成する一対の凸状の第１，第２ガイド部１１，１２と、これら一対の凸状の第１，第２ガイド部１１，１２の下部の対向部に一対の凹状の第３，第４ガイド部１３，１４が設けられている。
【００３５】
上記ガイド機構８の第１，第２ガイド部１１，１２の上面側には、上記スライド部材７の第１，第２の脚部の挿入を容易にするための所謂面取り状の傾斜面１１ａ，１２ａが設けられている。また、上記第１，第２ガイド部１１，１２のの長さ方向（スライド部材スライド方向）の中央部には上記スライド部材７及びこれに取付けられたシャッター４を上記開口部３１を閉塞する第１の位置にセットする位置決め突起１９が設けられている。
【００３６】
（４）シャッターの構成
上記シャッター４は、上記上ハーフ３２の開口部３１を開閉する第１のシャッター板４１と、下ハーフ３３の開口部３１を開閉する第２のシャッター板４２とに分割されている。
【００３７】
上記第１，第２のシャッター板４１，４２は、上記開口部３１を完全に閉塞できるように上記開口部３１よりも若干大き目の幅Ｗと長さＬの長方形状に形成されたシャッター本体部４３と、該シャッター本体部４３の長さ方向の一端部に設けられたスライド部材取付部４４と、上記シャッター本体部４３の長さ方向の他端部に設けられていて、上記上，下ハーフ３２，３３のシャッタースライド面５の一端部のシャッター端部挿入部５１内に挿入される被挿入側の端部４５とを備えている。
【００３８】
図１０に示したように、上記スライド部材取付部４４は、上記シャッター本体部４３の一端部に略直角に連設された該シャッター本体部４３よりも幅狭の略直角の第１折曲部４６と、該第１折曲部４６の先端にシャッター本体部４３と重なり合う方向に略直角に連設された第２折曲部４７と、該第２折曲部４７の先端の両端部に上記シャッター本体部４３側に向けて略直角に連設された第３折曲部（以下、係合爪という）４８とを備えている。なお、上記第１折曲部４６にネジ孔４６ａを設け、該ネジ孔４６ａを介してネジ４６ｂにより、上記第１折曲部４６をスライド部材にネジ止めする構成にしてもよい。
【００３９】
上記被挿入側の端部４５は、上記シャッター本体部４３に対して段差Ｈをもたせた状態に形成されていて、上記スライドガイド板５２の下方のシャッター端部挿入部５１内に挿入されるようになっている。
【００４０】
上記第１，第２のシャッター板４１，４２は、所定の形状に打ち抜いたステンレススチールやアルミニウム等の金属板を折り曲げることにより或は合成樹脂等により形成されている。なお、本実施例では、上記第１，第２のシャッター板４１，４２は、同一部材を使用しているが、例えば、被挿入側の端部４５の形状を変えて、意図的に別部材としてもよい。
【００４１】
（５）スライド部材の構成
図１１，図１２に示したように、上記スライド部材７は、スライド方向（長さ方向）のパーティングラインＰＬ１や肉厚方向のパーティングラインＰＬ２等によって、上記第１のシャッター板４１を上記シェル３にスライド可能に取付ける第１のスライド部７１と、上記第２のシャッター板４２を上記シェル３にスライド可能に取付ける第２のスライド部７２とに分割されている。
【００４２】
上記第１，第２のスライド部７１，７２は、上記第１のシャッター板４１又は第２のシャッター板４２のいずれか一方を取付けるシャッター板取付部７３と、該シャッター板取付部７３の底部の一側部に、該シャッター取付部７３の幅と略同じ幅で、かつ該シャッター取付部７３の長さの略半分の長さに形成されていて、他方のスライド部材のシャッター取付部が載置されるステージ部７４と、上記シャッター板取付部７３のスライド方向の一端側の上面に設けられていて、ドライブ装置のシャッター開放部材（図示省略）が係合するシャッター開放部材係合部材７５と、上記シャッター板取付部７３のスライド方向の一端部（上記シャッター開放部材係合部７５）の下面に設けられた第１の脚部７６と、上記シャッター板取付部７３の中央部の下面に設けられた第２の脚部７７と、上記第１，第２のスライド部７１，７２の第１の脚部７６，７６間に設けられたばね係止部７８とを備えている。上記第１の脚部７６は、中央部の切欠部７６ａで左右の脚部に分割されている。上記第２の脚部７７も上記第１の脚部７６と同様に、中央部の切欠部７７ａで左右の脚部に分割されている。
【００４３】
上記第１，第２のスライド部７１，７２は、同形、同大に形成されていて、第１のスライド部７１のシャッター板取付部７３を第２のスライド部７２のステージ部７４上に載置すると共に、上記第２のスライド部７２のシャッター板取付部７３を第１のスライド部７１のステージ部７４上に載置し、上記第１，第２のスライド部７１，７２に設けたばね係止部７８に、ばね部材（コイルスプリング）８０の一端部と他端部がそれぞれ係止されている。
【００４４】
上記第１，第２のスライド部７１，７２は、上記ばね部材８０により互に牽引されて、上記第１のスライド部７１のシャッター板取付部７３の先端が上記第２のスライド部７２のシャッター開放部材係合部７５に当接し、上記第２のスライド部７２のシャッター板取付部７３の先端が上記第１のスライド部７１のシャッター開放部材係合部７５に当接して、図１１に示したように、上記第１，第２のスライド部７１，７２は、互に結合された状態になる。
【００４５】
上記シャッター板取付部７３の先端とシャッター開放部材係合部７５の当接部には、互に嵌まり合う凸部８１と凹部８２が設けられていて、これら凸部８１と凹部８２の嵌合により、結合状態における上記第１，第２のスライド部７１，７２の位置ズレ（浮き上がり）を防止するようになっている。
【００４６】
上記第１，第２のシャッター板取付部７３の内面側の両端部には、所謂面取り状の傾斜面８３が設けられていると共に、該傾斜面８３の下端には爪係合部８４が設けられている。上記第１，第２の脚部７６，７７の間は、ばね部材８０の収納空間になっている。
【００４７】
上記ばね係止部７８は、図１２，図１３に示したように、上記第１の脚部７６の外側面よりも内側に形成されていて、ばね部材８０が上記第１，第２のシャッター板取付部７３の下面内に収まる状態で取付けられるようになっている。
【００４８】
図１３に示したように、上記ばね部材８０によって結合された第１，第２のスライド部７１，７２の底面の中央部の第２の脚部７７，７７間には、上記第１，第２ガイド部１１，１２の中央部に設けた位置決め突起１９が挿入される隙間８５が設けられている。
【００４９】
上記第１，第２のスライド部７１，７２は、潤滑性や耐磨耗性等に優れたポリカーボネートやポリアセタール或はポリプロピレン等の合成樹脂で形成されていて、上記第１〜第４ガイド部１１〜１４に沿って円滑にスライドするようになっている。上記第１，第２のスライド部７１，７２は、同形、同大であり、即ち同一部材として構成してもよいものであり、或は組立上、色分けしてもよい。上記第１，第２の脚部７６，７７の左右の脚部の外側面には、上記シェル３のスライド部材組付部３７の内側面の対向部に設けた上記第１，第２ガイド部１１，１２及び第３，第４ガイド部１３，１４にそれぞれ係合して、これら第１〜第４ガイド部１１〜１４と共に、上記ガイド機構８を構成する第５〜第８ガイド部１５〜１８が設けられている。
【００５０】
（６）ガイド機構の構成
ガイド機構８は、上述したように、第１，第２のシャッター板４１，４２及びこれら第１，第２のシャッター板４１，４２を取り付けた第１，第２のスライド部７１，７２を、上記開口部３１を閉塞する第１の位置と、上記開口部３１を開放する第２の位置との間でスライドさせるものである。上記ガイド機構８は、上記第１の位置においては上記第１，第２のシャッター板４１，４２を上記シャッタースライド面５に接触させ、上記第１の位置から上記第２の位置へのスライド時に上記第１，第２のシャッター板４１，４２を上記シャッタースライド面５から離間させ、上記第２の位置から上記第１の位置へのスライド時において上記第１，第２のシャッター板４１，４２を上記シャッタースライド面５に接近、接触させるシャッター接離操作部２０を備えている。
【００５１】
先ず、上記ガイド機構８の概略構成を説明し、次に、上記シャッター接離操作部２０について説明する。
【００５２】
上記ガイド機構８は、図１５（Ａ），（Ｂ）に示したように、上記スライド部材組付部３７の内側面の対向部に設けられた一対の凸状の第１，第２ガイド部１１，１２と、これら一対の凸状の第１，第２ガイド部１１，１２の下部に設けられた一対の凹状の第３，第４ガイド部１３，１４と、上記第１，第２のスライド部７１，７２の第１，第２の脚部７６，７７の左右の脚部の外側面に設けられていて、これら第１，第２の脚部７６，７７を上記シェル３のスライド部材組付部３７に挿入したときに、上記一対の凸状の第１，第２ガイド部１１、１２に係合する一対の凹状の第５，第６ガイド部１５，１６と、上記一対の凹状の第３，第４ガイド部１３，１４に係合する一対の凸状の第７，第８ガイド部１７，１８とで構成されている。
【００５３】
上記第１，第３ガイド部１１，１３は、上記上ハーフ３２の内側面に設けられている。上記第２，第４ガイド部１２，１４は、上記下ハーフ３３の内側面に設けられている。
【００５４】
上記第５，第７ガイド部１５，１７は、上記第１，第２の脚部７６，７７の左右の脚部のうちの一方（図１５の右方）の脚部の外側面に設けられ、上記第６，第８ガイド部１６，１８は、他方（図１５の左方）の脚部の外側面に設けられている。
【００５５】
図１３に示したように、上記第１の脚部７６の幅、換言すれば上記第７，第８ガイド部１７，１８間の間隔Ｄ１は、上記第２の脚部７７の幅、換言すれば上記第７，第８ガイド部１７，１８間の間隔Ｄ２よりも小に設定されている。
【００５６】
次に、上記ガイド機構８の組み立て、つまり、上記シェル３のスライド部材組付部３７へのスライド部材７の組み付けについて説明する。
【００５７】
上記第１，第２のスライド部７１，７２を上記ばね部材８０によって結合した状態で、図１４に示したように、上記第１，第２のスライド部７１，７２の第２の脚部７７，７７間の隙間８５を上記位置決め突起１９の位置に合わせて、図１５（Ａ），（Ｂ）に示したように、上記第１，第２の脚部７６，７７を上記スライド部材組付部３７に挿入する。上記第１，第２の脚部７６，７７を挿入すると、図１６（Ａ），（Ｂ）に示したように、上記第７，第８ガイド部１７，１８の下端外側の傾斜面１７ａ，１８ａが上記第１，第２ガイド部１１，１２の傾斜面１１ａ，１２ａに当接し、上記第１，第２の脚部７６，７７の左右の脚部は、内側に弾性変形する。
【００５８】
上記第６，第８ガイド部１６，１８が上記第１，第２ガイド部１１，１２を乗り越えると、上記第１，第２の脚部７６，７７の左右の脚部は、弾性復帰して、図１７（Ａ），（Ｂ）に示したように、上記シェル３のスライド部材組付部３７の内側面に設けられた第１〜第４ガイド部１１〜１４と、上記第１，第２の脚部７６，７７の外側面に設けられた第５〜第８ガイド部１５〜１８とが自ずと係合すると共に、図１８に示したように、上記第１，第２のスライド部７１，７２の第２の脚部７７，７７間の隙間８５に、上記第１，第２ガイド部１１，１２の中央部に設けた位置決め突起１９が侵入して、上記第１，第２のスライド部７１，７２は、上記第１，第２のシャッター板４１，４２で上記上，下ハーフ３２，３３の開口部３１を閉塞する第１の位置にセットされる。
【００５９】
上記第１のスライド部７１は、上記位置決め突起１９によって、上ハーフ３２の開口部３１を開閉する方向へのスライドのみが許容される。また、上記第２のスライド部７２は、上記位置決め突起１９によって、下ハーフ３３の開口部３１を開閉する方向へのスライドのみが許容される。
【００６０】
次に、シャッター接離操作部２０について説明する。上記シャッター接離操作部２０は、上述したように、上記第１の位置において上記第１，第２のシャッター板４１，４２を上記シャッタースライド面５に接触させ、上記第１の位置から上記第２の位置へのスライド時に上記第１，第２のシャッター板４１，４２を上記シャッタースライド面５から離間させる。また、上記第２の位置から上記第１の位置へのスライド時において上記第１，第２のシャッター板４１，４２を上記シャッタースライド面５に接近させ、上記第１の位置において上記第１，第２のシャッター板４１，４２を再び上記シャッタースライド面５に接触させるものである。
【００６１】
上記シャッター接離操作部２０は、図１９（Ａ）に示すように、上記上，下ハーフ３２，３３に設けられた第１，第２ガイド部１１，１２の対向する内側面及び図１９（Ｂ）に示すように、第３，第４ガイド部１３，１４の対向する内側面に設けられている。上記シャッター接離操作部２０は、上記第１の位置において上記第１，第２のシャッター板４１，４２を上記シャッタースライド面５に接触させた状態に上記第１のスライド部材７１を支持する第１フラット面２０Ａと、上記第１の位置から上記第２の位置へのスライド時に上記第１，第２のシャッター板４１，４２を上記シャッタースライド面５から離間する方向に上記第１のスライド部材７１をスライドさせる勾配面２０Ｂと、上記第２の位置において上記第１，第２のシャッター板４１，４２を上記シャッタースライド面５に対して離間させた状態に上記スライド部材を支持する第２フラット面２０Ｃを設けることにより構成されている。
【００６２】
上記シャッター接離操作部２０は、上記第１のシャッター板４１の操作部分と、上記第２のシャッター板４２の操作部分とが上記位置決め突起１９を中心にして対称に配置されている。
【００６３】
図２０（Ａ）に示したように、上記第１，第２ガイド部１１，１２の対向する内側面の第１フラット面２０Ａは、上記位置決め突起１９の一側部に、上記第１，第２の脚部７６，７７間の幅Ｗ１と略同じ幅に形成され、上記勾配面２０Ｂは、上記第１フラット面２０Ａに連続させた状態で上記第１，第２の脚部７６，７７間の幅Ｗ２よりも幅狭に形成され、上記第２フラット面２０Ｃは、上記勾配面２０Ｂの一側部に連続させた状態で上記第１，第２の脚部７６，７７間の幅Ｗ２よりも大きな幅Ｗ３に形成されている。
【００６４】
また、図２０（Ｂ）に示したように、上記第３，第４ガイド部１３，１４の対向する内側面の第１フラット面２０Ａは、上記位置決め突起１９の一側部に、上記第２の脚部７７の幅と略同じ幅Ｗ４に形成され、上記勾配面２０Ｂは、上記第１フラット面２０Ａに連続させた状態で上記第１，第２の脚部７６，７７間の幅Ｗ２よりも小さな幅Ｗ５に形成され、上記第２のフラット面２０Ｃは、上記勾配面２０Ｂの一側部に連続させた状態で上記第１，第２の脚部７６，７７間の幅Ｗ２よりも大きな幅Ｗ６に形成されている。
【００６５】
次に、上記シャッター接離操作部２０の作用を、（Ｉ）スライド部が第１の位置にあるとき、（ＩＩ）スライド部が第１の位置から第２の位置に向けて所定量スライドしたとき、（１１１）スライド部が第２の位置にスライドしたとき、について第２のスライド部７２を例にとって説明する。
（Ｉ）第２のスライド部７２が第１の位置にあるとき、
図１７（Ａ）及び図２０（Ａ）に示したように、上記第１の脚部７６の第５ガイド部１５は、上記上ハーフ３２側の第１ガイド部１１の第１フラット面２０Ａの部分に位置して，該第１フラット面２０Ａに接触している。上記第１の脚部７６の第６ガイド部１６は、上記下ハーフ３３の第２ガイド部１２の第１フラット面２０Ａの部分に位置し、該第１フラット面２０Ａに接触している。上記第２の脚部７７の第５ガイド部１５は、上記上ハーフ３２側の第１ガイド部１１の第１フラット面２０Ａの部分に位置して、該第１フラット面２０Ａに接触している。上記第２の脚部７７の第６ガイド部１６は、上記下ハーフ３３の第２ガイド部１２の第１フラット面２０Ａの部分に位置して、該第１フラット面２０Ａとの間には略０．５ｍｍの隙間Ｃ２が存在している。
【００６６】
一方、図１７（Ｂ）及び図２０（Ｂ）に示したように、上記第１の脚部７６の第７ガイド部１７は、上記上ハーフ３２の第３ガイド部１３の第２フラット面２０Ｃの部分に位置し、該第２フラット面２０Ｃに接触している。上記第８ガイド部１８は、上記下ハーフ３３の第４ガイド部１４の第２フラット面２０Ｃの部分に位置し，該第２フラット面２０Ｃの間には略１．０ｍｍの隙間Ｃ１が存在している。上記第２の脚部７７の第７ガイド部１７は、上記上ハーフ３２の第３ガイド部１３の第１フラット面２０Ａの部分に位置して，該第１フラット面２０Ａに接触している。上記第２の脚部７７の第８のガイド部１８は、上記上ハーフ３２の第３ガイド部１３の第１フラット面２０Ａの部分に位置して，該第１フラット面２０Ａに接触している。
【００６７】
このようにして、上記第２のスライド部７２に取り付けられている第２のシャッター板４２は、上記下シェル３３のシャッタースライド面５に対して平行な状態で、該シャッタースライド面５に接触している。
（ＩＩ）第１の位置から第２の位置に向けて所定量スライドさせたとき
図２１に示したように、上記第１の脚部７６の第５ガイド部１５は、上記上ハーフ３２の第１ガイド部１１の勾配面２０Ｂを通って第２フラット面２０Ｃ側にスライドすると共に、上記第２の脚部７７の第６ガイド部１６は、上記下ハーフ３３の第２ガイド部１２の勾配面２０Ｂを通って第２フラット面２０Ｃ側にスライドする。
【００６８】
一方、上記第２の脚部７７の第７ガイド部１７は、破線で示す上ハーフ３２の第３ガイド部１３の勾配面２０Ｂを通って第２フラット面２０Ｃ側にスライドすると共に、上記第２の脚部７７の第８ガイド部１８は、破線で示す下ハーフ３３の第４ガイド部１４の勾配面２０Ｂを通って第２フラット面２０Ｃ側にスライドする。
【００６９】
そして、図２２（Ａ）、図２３（Ａ）に示したように、上記第１の脚部７６の第５のガイド部１５は、上記上ハーフ３２の第１のガイド部１１の勾配面２０Ｂを通過したのち上記第２フラット面２０Ｃに接触する。上記第１の脚部７６の第６のガイド部１６は、上記下ハーフ３３の第２のフラット面２０Ｃの部分に位置して，該第２フラット面２０Ｃに接触する。上記第２脚部７７の第５ガイド部１５は、上記上ハーフ３２側の第１のガイド部１１の勾配面２０Ｂの部分に位置し、該勾配面２０Ｂに対して非接触状態になる。上記第２の脚部７７の第６ガイド部１６は、上記下ハーフ３３の第２ガイド部１２の第１フラット面２０Ａに接触する。
【００７０】
一方、図２２（Ｂ）、図２３（Ｂ）に示したように、上記第２の脚部７７の第７ガイド部１７は、上記上ハーフ３２の第３ガイド部１３の第２フラット面２０Ｃに対して非接触状態になる。上記第１の脚部７６の第８ガイド部１８は、上記下ハーフ３３の第４のガイド部１４の第２フラット面２０Ｃに対して非接触状態になる。上記第２の脚部７７の第７ガイド部１７は、上記上ハーフ３２の第３ガイド部１３の第２フラット面２０Ｃに接触する。上記第２の脚部７７の第８ガイド部１８は、上記下ハーフ３３の第４ガイド部１４の第２フラット面２０Ｃの部分に位置し，該第２フラット面２０Ｃに接触する。  （ＩＩＩ）第２の位置にスライドしてきたとき
図２４（Ａ）、図２５（Ａ）に示したように、上記第１の脚部７６の第５ガイド部１５は、上記上ハーフ３２の第１ガイド部１１の第２フラット面２０Ｃに接触している。上記第１の脚部７６の第６ガイド部１６は、上記下ハーフ３３の第２ガイド部１２の第２フラット面２０Ｃに接触している。上記第２の脚部７７の第５ガイド部１５は、上記上ハーフ３２の第１ガイド部１１の第２フラット面２０Ｃの部分に位置して、該第２フラット面２０Ｃに接触する。上記第２の脚部７７の第６ガイド部１６は、上記下ハーフ３３の第２ガイド部１２の第２フラット面２０Ｃの部分に位置し、該第２フラット面２０Ｃに対して非接触状態になっている。
【００７１】
一方、図２４（Ｂ）、図２５（Ｂ）に示したように、上記第１の脚部７６の第７ガイド部１７は、上記上ハーフ３２の第３ガイド部１３の第２フラット面２０Ｃに対して非接触状態になっている。上記第１の脚部７６の第８ガイド部１８は、上記下ハーフ３３の第４ガイド部１４の第２フラット面２０Ｃに対して非接触状態になっている。上記第２の脚部７７の第７ガイド部１７は、上記上ハーフ３２の第３ガイド部１３の第２フラット面２０Ｃに接触している。上記第２の脚部７７の第８ガイド部１８は、上記下ハーフ３３の第４ガイド部１４の第２フラット面２０Ｃに接触している。
【００７２】
（７）他の実施例
上記実施例では、第１，第２のシャッター板４１，４２を上，下ハーフ３２，３３のシャッタースライド面５に対して傾斜することなく、平行状態でスライドさせるために、上記第１，第２のスライド部７１，７２の第１，第２の脚部７６，７７を、それぞれの異なるガイド部に設けた勾配面で同時に傾斜させる構成にしたが、第１，第２のシャッター板４１，４２が上，下ハープ３２，３３のシャッタースライド面５に対して傾斜させてもよい場合には、上記第１，第２スライド部７１，７２の第１，第２の脚部７６，７７を、同じガイド部に設けた勾配面で時間的に前後させて操作して傾斜させる構成にしてもよい。
【００７３】
また、図１〜図４に示したように、第１，第２のシャッター板４１，４２の一端部は、スライドガイド板５２によって反り上がるのを防止されている。図５に示したように、上記スライドガイド板５２は、合成樹脂等によって、上下面がフラットな板状に形成されている。しかし、上記スライドガイド板５２の下面（上記第１，第２のシャッター板４１，４２が接触する面）５２ａがフラット面であると、上記第１，第２のシャッター板４１，４２が図２６に１点鎖線で示す第２の位置（シェルの開口部を解放している位置）から２点鎖線で示す第１の位置（シェルの開口部を解放している位置）にスライドするときに、上記第１，第２のシャッター板４１，４２が上記スライドガイド板５２の下面５２ａから離れていき、上記第２の位置においては上記スライドガイド板５２の下面５２ａと上記第１，第２のシャッター板４１，４２に隙間が発生してしまうために、上記スライドガイド板５２が本来の機能を果たすことができなくなるという不具合が発生する。
【００７４】
そこで、図２７に示したように、上記スライドガイド板５２の肉厚を変化させるなどして、上記スライドガイド板５２の下面５２ａに段差を設けて、上記第１の位置においても、上記スライドガイド板５２の下面５２ａに上記第１，第２のシャッター板４１，４２が接触するようにして、上記第１，第２のシャッター板４１，４２の一端部が反り上がるのを確実に防止できる構成にしてもよい。
【００７５】
なお、上記実施例ではシャッター接離操作部２０をガイド機構８を構成する第１〜第４ガイド部１１〜１４の対向する内側面に形成した場合を示したが、上記第１〜第４ガイド部１１〜１４とは別個にシャッター接離操作部２０を形成してもよい。また、ガイド機構８も実施例のものに限定されず、スライド部材を円滑にスライドさせることができものであればよい。また、請求項１において、ガイド機構８にシャッター接離操作部２０を設けるというのは、ガイド機構８によるスライド時にシャッターをシェルのシャッタースライド面に接離させるという意味であり、ガイド機構８とシャッター接離操作部２０が一見、別個に形成されているような場合でも、ガイド機構８によりスライドしているときにシャッターをシェルのシャッタースライド面に接離させるものであれば当然に本発明の技術範囲に含まれる。
（８）作用
第１，第２のシャッター板４１，４２が第１の位置にあるとき、これら第１，第２のシャッター板４１，４２は、上記ガイド機構８のシャッター接離操作部２０によって、上記上，下ハーフ３２，３３のシャッタースライド面５に接触して、該シャッタースライド面５に設けられている開口部３１を密閉している。
【００７６】
そして、図１に示したように、上記上ハーフ３２を上にし、下ハーフ３３を下にした姿勢（以下、正規の姿勢という）で上記カートリッジ１をドライブ装置に挿入すると、該ドライブ装置に設けたシャッター開放部材が第２のスライド部７２のシャッター開放部材係合部７５に係合して、上記第２のスライド部７２が上記ガイド機構８によって矢印Ｂ方向にスライドし、図３に裏返して示したように、上記第２のスライド部７２に取付けられている第２のシャッター板４２を上記下ハーフ３３の開口部３１を開放する第２の位置にスライドさせる。このとき、上記ガイド機構８のシャッター接離操作部２０によって、第２のシャッター板４２は、上記下ハーフ３３のシャッタースライド面５から離れるので、上記第２のシャッター板４２は、上記シャッタースライド面５に対して摩擦を生じることなく円滑にスライドする。
【００７７】
そして、上記第２のシャッター板４２が第１の位置にスライドしたのち、上記下ハーフ３３の開口部３１を介して、図６に示したように、上記ディスク２のセンターハブ２２はドライブ装置のターンテーブル３０１にチャッキングされて回転されると共に、光学ピックアップ３０２により、上記ディスク２の第１の記録媒体２６の記録層２４への記録及び／又は再生が行われる。
【００７８】
また、図２に示したように、下ハーフ３３を上にし、上ハーフ３２を下にした姿勢（以下、逆の姿勢という）で上記カートリッジ１をドライブ装置に挿入すると、上記ドライブ装置に設けたシャッター開放部材が上記第１のスライド部７２のシャッター開放部材係合部７５に係合して、上記第１のスライド部７１が上記ガイド機構８によって矢印Ｂ方向にスライドし、図４に裏返して示したように、上記第１のスライド部７１に取付けられている第１のシャッター板４１を上記上ハーフ３２の開口部３１を開放する第２の位置にスライドさせる。このときも、上記ガイド機構８のシャッター接離操作部２０によって、第１のシャッター板４１は、上記上ハーフ３２のシャッタースライド面５から離れるので、上記第１のシャッター板４１は、上記シャッタースライド面５に対して摩擦を生じることなく円滑にスライドする。そして、上記第１のシャッター板４１が第１の位置にスライドしたのち、上記上ハーフ３２の開口部３１を介して、上記ディスク２のセンターハブ２２はドライブ装置のターンテーブル３０１にチャッキングされて回転されると共に、光学ピックアップ３０２により、上記ディスク２の第２の記録媒体２７の記録層２４への記録及び／又は再生が行われる。
【００７９】
上記正規の姿勢での記録及び／又は再生を行う場合も逆の姿勢で記録及び／又は再生を行う場合も記録及び／又は再生に直接関与しない他方（上方）の開口部３１は閉じられた状態に維持されるので、該他方の開口部３１からシェル３内に塵埃等が侵入して、ディスク１の表面に付着することが防止される。
【００８０】
図３に示す第１のシャッター板４１を第１の位置から第２の位置にスライドさせる場合と、図４に示す第２のシャッター板４２を第１の位置から第２の位置にスライドさせる場合とは、上記第１，第２のシャッター板４１，４２のスライド方向は同じであるので、第１のシャッター板４１を開放するシャッター開放部材を第２のシャッター板４２を開放するシャッター開放部材として兼用できる。
【００８１】
【発明の効果】
本発明の情報記録媒体カートリッジには次に述べるような効果がある。
【００８２】
（１）請求項１の情報記録媒体カートリッジは、スライドガイド機構に設けたシャッター接離操作部により、シャッターがシェルの開口部を閉塞する位置にあるときは、シャッターをシェルのシャッタースライド面に密着させて、開口部を完全に閉じることができる。また、上記開口部を解放する方向にシャッターをスライドさせると、シャッターがシェルのシャッタースライド面から浮き上がるので、シャッターを円滑にスライドさせることができる。
【００８３】
（２）請求項２の情報記録媒体カートリッジは、スライドガイド機構を、カートリッジケースのスライド部材組付部の内側面の対向部に設けられた一対の凸状のガイド部と、スライド部材のカートリッジケースへの脚部に設けられていて、該脚部を上記カートリッジケースのスライド部材組付部に挿入したときに、上記一対の凸状のガイド部に係合する一対の凹状のガイド部で構成したので、スライドガイド機構の構成が簡単で組み付けも容易である。
【００８４】
（３）請求項３の情報記録媒体カートリッジは、スライドガイド機構を、カートリッジケースのスライド部材組付部の内側面の対向部に設けられた凸状の第１、第２ガイド部と、これら凸状の第１、第２ガイド部の下部に設けられた凹状の第３、第４ガイド部と、スライド部材のカートリッジケースへの脚部に設けられていて、該脚部を上記カートリッジケースのスライド部材組付部に挿入したときに、上記凸状の第１、第２ガイド部に係合する凹状の第５、第６ガイド部と、上記凹状の第３、第４ガイド部に係合する凸状の第７、第８ガイド部とで構成したので、脚部を２箇所（２段）で支えることができ、シャッターを円滑にスライドさせることができる。
【００８５】
（４）請求項４の情報記録媒体カートリッジは、カートリッジケースへの脚部を、スライド部材のスライド方向の一端側に設けられた第１の脚部と、上記スライド部材のスライド方向の中央部又は他端側に設けられた第２の脚部とで構成したので、上記第１の脚部と第２の脚部との間のスペースをバネ材等の配置スペースとして有効に利用することができる。
【００８６】
（５）請求項５の情報記録媒体カートリッジは、シャッター接離操作部を、上記カートリッジケースに設けられた凸状の第１，第２ガイド部の内側面及び凹状の第３，第４ガイド部の内側面に、上記第１の位置において上記シャッターを上記カートリッジケースのシャッタースライド面に接触させた状態に支持する第１フラット面と、上記第１の位置から上記第２の位置へのスライド時に上記シャッターを上記カートリッジケースのシャッタースライド面から離間する方向にスライドさせる勾配面と、上記第２の位置において上記シャッター板を上記カートリッジケースのシャッタースライド面に対して離間させた状態に支持する第２フラット面を設けることにより構成したので、上記シャッター接離操作部の構成が簡素化され、かつシャッター接離操作部のための配置スペースも少ないものですみ省スペース化を図ることができる。
【００８７】
（６）請求項６の情報記録媒体カートリッジは、上記カートリッジケースに設けられた上記凸状の第１，第２ガイド部の勾配面と、上記凹状の第３，第４のガイド部の勾配面とは、上記スライド部材のスライド方向に対して上記第１の脚部と第２の脚部との間隔と略等しい間隔の位相をもたせた状態に形成されていて、上記スライド部材のスライド時に上記第１の脚部と第２の脚部を同期的に操作するので、シャッターをシェルのシャッタースライド面に対して傾斜させることなくスライドさせることができる。
【図面の簡単な説明】
【図１】カートリッジを表面側から見た斜視図（シャッター閉状態）。
【図２】カートリッジを裏面側から見た斜視図（シャッター閉状態）。
【図３】カートリッジを表面側から見た斜視図（シャッター開状態）。
【図４】カートリッジを裏面側から見た斜視図（シャッター開状態）。
【図５】カートリッジの分解斜視図。
【図６】ディスクの断面図。
【図７】図１のａ−ａ断面図。
【図８】図１のｂ−ｂ断面図。
【図９】シェルの前周壁側の断面図。
【図１０】第１，第２のシャッター板の斜視図。
【図１１】スライド部材の斜視図。
【図１２】スライド部材の分解斜視図。
【図１３】スライド部材の底面図。
【図１４】シェルを組立てた状態の斜視図。
【図１５】（Ａ）は第１の脚部の組付工程図、（Ｂ）は第２の脚部の組付工程図。
【図１６】（Ａ）は第１の脚部の組付工程図、（Ｂ）は第２の脚部の組付工程図。
【図１７】（Ａ）は第１の脚部の組付工程図、（Ｂ）は第２の脚部の組付工程図。
【図１８】スライド部材が組み付けられた状態の要部の平面図。
【図１９】（Ａ）第１，第２のガイド部の正面図、（Ｂ）は第３，第４のガイド部の正面図。
【図２０】（Ａ）は第１の位置における第１，第２のガイド部と第１，第２の脚部の関係を示す正面図、（Ｂ）は第１の位置における第３、第４のガイド部と第１，第２の脚部の関係を示す正面図。
【図２１】第１，第２の脚部がそれぞれ異なるガイド部の勾配面をスライドする状態を示す説明図。
【図２２】（Ａ）は第１の位置と第２の位置の中間の位置における第１，第２のガイド部と第１，第２の脚部の関係を示す正面図、（Ｂ）は第１の位置と第２の位置の中間の位置における第３、第４のガイド部と第１，第２の脚部の関係を示す正面図。
【図２３】（Ａ）は第１の脚部部分の縦断面図、（Ｂ）は第２の脚部部分の縦断面図。
【図２４】（Ａ）は第２の位置における第１，第２のガイドのシャッター接離操作部と第１，第２の脚部の関係を示す正面図、（Ｂ）は第２の位置における第３、第４のガイドのシャッター接離操作部と第１，第２の脚部の関係を示す正面図。
【図２５】（Ａ）は第２の位置における第１の脚部部分の縦断面図、（Ｂ）は第２の位置における第２の脚部部分の縦断面図。
【図２６】スライドガイド板の断面図。
【図２７】スライドガイド板の変形例の断面図。
【図２８】従来の一体型シャッターを使用したカートリッジの斜視図。
【図２９】ドライブ装置へ装着した状態の断面図。
【図３０】従来の分割型シャッターを使用したカートリッジの斜視図。
【図３１】従来の分割型シャッターを使用したカートリッジを裏面側から見た斜視図。
【図３２】ドライブ装置へ装着した状態の断面図。
【符号の説明】
１…カートリッジ、２…ディスク、３…シェル、４…シャッター、５…シャッタースライド面、７…スライド部材、１１〜１８…第１〜第８のガイド部、１９…位置決め突起、２０…シャッター接離操作部、２０Ａ…第１フラット面、２０Ｂ…勾配面、２０Ｃ…第２フラット面。
【図１】
0003601476.tif 000002
【図２】
0003601476.tif 000003
【図３】
0003601476.tif 000004
【図４】
0003601476.tif 000005
【図５】
0003601476.tif 000006
【図６】
0003601476.tif 000007
【図７】
0003601476.tif 000008
【図８】
0003601476.tif 000009
【図９】
0003601476.tif 000010
【図１０】
0003601476.tif 000011
【図１１】
0003601476.tif 000012
【図１２】
0003601476.tif 000013
【図１３】
0003601476.tif 000014
【図１４】
0003601476.tif 000015
【図１５】
0003601476.tif 000016
【図１６】
0003601476.tif 000017
【図１７】
0003601476.tif 000018
【図１８】
0003601476.tif 000019
【図１９】
0003601476.tif 000020
【図２０】
0003601476.tif 000021
【図２１】
0003601476.tif 000022
【図２２】
0003601476.tif 000023
【図２３】
0003601476.tif 000024
【図２４】
0003601476.tif 000025
【図２５】
0003601476.tif 000026
【図２６】
0003601476.tif 000027
【図２７】
0003601476.tif 000028
【図２８】
0003601476.tif 000029
【図２９】
0003601476.tif 000030
【図３０】
0003601476.tif 000031
【図３１】
0003601476.tif 000032
【図３２】
0003601476.tif 000033